(57)【特許請求の範囲】
【請求項１】
主旋律と、この主旋律以外の旋律とから構成された音楽情報を再生することができる電話装置であって、
前記主旋律のレベルと、前記主旋律以外の旋律のレベルとのレベル差を検出する検出手段と、
前記検出手段により前記レベル差が所定レベルより小さい場合に、所定レベル以上となるようにレベル差を設定する設定手段と、
前記設定手段によって設定されたレベル差で再生する再生手段とを設けたことを特徴とする電話装置。
【請求項２】
請求項１に記載の電話装置において、
前記設定手段は、前記主旋律以外の旋律のレベルを一定レベルだけ下げることを特徴とする電話装置。
【請求項３】
請求項１に記載の電話装置において、
前記設定手段は、特定周波数の部分の前記主旋律以外の旋律のレベルを一定レベルだけ下げることを特徴とする電話装置。
【請求項４】
請求項１乃至請求項３のいずれかに記載の電話装置において、
前記音楽情報は、保留部材の操作によって、電話回線を介して通信相手に対し保留音として送出されることを特徴とする電話装置。
【請求項５】
請求項１乃至請求項４のいずれかに記載の電話装置において、
前記音楽情報は、着信音として再生されることを特徴とする電話装置。
【請求項６】
前記設定手段は、低音部分に比べて高音部分のレベル差を小さく設定することを特徴とする請求項１乃至５のいずれかに記載の電話装置。
【請求項７】
前記設定手段は、副旋律のレベルの大きさがある基準値以下に下がると、主旋律及び副旋律のレベルを双方とも大きくすることを特徴とする請求項１乃至６のいずれかに記載の電話装置。
【発明の詳細な説明】
【０００１】
【発明の属する技術分野】
本発明は、主旋律と、この主旋律以外の旋律とから構成された音楽情報の音楽を再生する電話装置に関し、特に、その音楽（メロディ）を聞きやすくすることができる電話装置に関する。
【０００２】
【従来の技術】
最近では、保留音等として、メロディで報知する機能を有する電話装置が、普及しつつある。かかる電話装置の場合、ユーザが所定の操作により予め所望のメロディデータを電話装置内のメモリに記憶しておき、保留ボタンをオンした場合に、その設定されたメロディデータを再生し、通信の相手方に送出している。
【０００３】
【発明が解決しようとする課題】
しかしながら、近年の電話装置においては、保留音を電話装置のユーザー側が作曲して、作曲したメロディデータを電話装置内のメモリに記憶させて使用したり、あるいは、市販のメロディを購入して、そのメロディデータを電話装置内のメモリに記憶させて使用することがある。
かかる場合、そのメロディデータは、保留音として通信回線を介して通信相手に対し送出されることになるが、メロディデータの中には、主旋律が、副旋律に比べて弱い楽曲がある。その場合、通信回線を介して送出される音楽を聞く通信相手方は、副旋律によって主旋律が邪魔され、何の楽曲か全体として分からないことがある。その際通話待ちをしている通信相手方は、保留音として流れる音楽を聞きたくない場合も生じ、保留音等として音楽（メロディ）を流す意義が喪失することがある。
【０００４】
本発明は、前記従来の問題を解決するためになされたものであり、通信回線を介して通信相手に対し、例えば保留音等として音楽情報を送出したり、あるいは着信音として再生したりする場合にあっても、主旋律をできるだけ明確にして楽曲のイメージを分かりやすくすることにより、その音楽（メロディ）を聞きやすくすることができる、優れた電話装置を提供することを目的とする。
【０００５】
【課題を解決するための手段】
前記目的を達成するため請求項１に係る電話装置によれば、主旋律と、この主旋律以外の旋律とから構成された音楽情報を再生することができる電話装置であって、前記主旋律のレベルと、前記主旋律以外の旋律のレベルとのレベル差を検出する検出手段と、前記検出手段により前記レベル差が所定レベルより小さい場合に、所定レベル以上となるようにレベル差を設定する設定手段と、前記設定手段によって設定されたレベル差で再生する再生手段とを設けたことを特徴とする。ここで、主旋律とは、複数の旋律の内で予め定められた旋律をいい、副旋律とはこれら旋律の内、主旋律以外の旋律をいう。
【０００６】
このような請求項１の電話装置によれば、検出手段により、主旋律とこの主旋律以外の旋律とのレベル差を検出し、検出されたレベル差が所定レベルより小さい場合に、所定レベル以上となるようにレベル差を設定する。そして、設定されたレベル差に基づいて、主旋律とこの主旋律以外の旋律を再生するので、主旋律以外の旋律によって主旋律が邪魔されるおそれが少なくなり、主旋律が明確になって楽曲のイメージが分かりやすくなる。
それにより、例えば保留音等としての音楽情報を、通信回線を介して通信相手に対し送出したり、あるいは着信音として再生したりする場合にあっても、楽曲のイメージが分かりやすくなって、その音楽（メロディ）が聞きやすくなり、保留音あるいは着信音等としての音楽（メロディ）を流す意義が喪失しない。
【０００７】
また、請求項２に係る発明によれば、請求項１に記載の電話装置において、前記設定手段は、前記主旋律以外の旋律のレベルを一定レベルだけ下げることを特徴とする。
【０００８】
このような請求項２の電話装置によれば、主旋律以外の旋律のレベルが一定レベルだけ下がることにより、主旋律以外の旋律によって主旋律が邪魔されるおそれが少なくなり、主旋律が明確になって楽曲のイメージが分かりやすくなる。それにより、例えば、保留音等としての音楽情報を、通信回線を介して通信相手に対し送出したり、あるいは着信音として再生したりする場合にあっても、楽曲のイメージが分かりやすくなって、その音楽（メロディ）が聞きやすくなり、保留音あるいは着信音等としての音楽（メロディ）を流す意義が喪失しない。
【０００９】
また、請求項３に係る発明によれば、請求項１に記載の電話装置において、前記設定手段は、特定周波数の部分の前記主旋律以外の旋律のレベルを一定レベルだけ下げることを特徴とする。
【００１０】
このような請求項３の電話装置によれば、特定周波数の部分の主旋律以外の旋律のレベルが一定レベルだけ下がることにより、主旋律以外の旋律によって主旋律が邪魔されるおそれが少なくなり、特定周波数の部分の主旋律が明確になって楽曲のイメージが分かりやすくなる。この場合、特定周波数の部分とは、聞き取り易い例えば高音部分をいう。このように特定周波数の部分（例えば高音部分）の主旋律以外の旋律のレベルが一定レベルだけ下がるので、例えば、保留音等としての音楽情報を、通信回線を介して通信相手に対し送出したり、あるいは着信音として再生したりする場合にあっても、楽曲のイメージが分かりやすくなって、通信相手方はその音楽（メロディ）が聞きやすくなり、保留音あるいは着信音等としての音楽（メロディ）を流す意義が喪失しない。
【００１１】
また、請求項４に係る発明によれば、請求項１乃至請求項３のいずれかに記載の電話装置において、前記音楽情報は、保留部材の操作によって、電話回線を介して通信相手に対し保留音として送出されることを特徴とする。
【００１２】
このような請求項４の電話装置によれば、保留部材を操作することにより、電話回線を介して通信相手に対し保留音としての音楽情報を送出することができる。その場合、保留音の楽曲のイメージが分かりやすくなって、その音楽（メロディ）が聞きやすくなり、通信相手に対して保留音としての音楽（メロディ）を流す意義が喪失しない。
【００１３】
また、請求項５に係る発明によれば、請求項１乃至請求項４のいずれかに記載の電話装置において、前記音楽情報は、着信音として再生されることを特徴とする。
【００１４】
このような請求項５の電話装置によれば、着信音としての音楽情報を再生することができる。その場合、着信音の楽曲のイメージが分かりやすくなって、その音楽（メロディ）が聞きやすくなり、着信音としての音楽（メロディ）を流す意義が喪失しない。
また、請求項６に係る発明によれば、請求項１乃至請求項５のいずれかに記載の電話装置において、前記設定手段は、低音部分に比べて高音部分のレベル差を小さく設定することを特徴とする。
このような請求項６の電話装置によれば、低音部分のレベル差に対して、聞き取りやすい高音部分のレベル差を小さく設定することにより、高音部分が主張しすぎることなく、高音部分と低音部分を適度なバランスに調整して、音楽情報を再生することができる。
また、請求項７に係る発明によれば、請求項１乃至請求項４のいずれかに記載の電話装置において、前記設定手段は、副旋律のレベルの大きさがある基準値以下に下がると、主旋律及び副旋律のレベルを双方とも大きくすることを特徴とする。
このような請求項７の電話装置によれば、副旋律のレベルの大きさがある基準値以下に下がり、副旋律が分かりにくくなった場合にも、主旋律及び副旋律のレベルを双方とも大きくすることにより、その音楽（メロディ）のイメージが分かりやすく、且つ聞きやすくなる。
【００１５】
【発明の実施の形態】
以下、本発明に係る電話装置を、図面を参照しつつ詳細に説明する。この実施の形態の場合、ファクシミリ機能を具備した電話装置において具体化したものであって、最初に、本実施形態に係る電話装置の概略構成について、図１に基づき説明する。図１は本実施形態に係る電話装置１の外観斜視図である。
【００１６】
図１において、電話装置１は装置本体２を有し、装置本体２の右側面には、電源コード３及び子機（図示せず）と通話するためのアンテナ４が付設されている。また、装置本体２の上面には操作パネルユニット５が配設されており、かかる操作パネルユニット５には液晶ディスプレイ６が配設され、更に、各種のキー群が配設されている。
また、操作パネルユニット５の後方位置には、原稿用紙をスタックする用紙スタッカ７が設けられており、更に、用紙スタッカ７の後方位置には用紙サポート８が配置されている。尚、装置本体２の左側には受話器載置部９が設けられており、受話器載置部９上には受話器１０が載置される。
【００１７】
次に、前記操作パネルユニット５上に配置されたキー群の機能について、図２に基づき説明する。図２は本実施形態に係る電話装置１の操作パネルユニット５の平面図である。図２において、操作パネルユニット５上で左側位置には、ダイアル入力を行うためのダイアルキー１１が配置されている。かかるダイアルキー１１には、「０」乃至「９」の数値キー、アスタリスクキー１２、及びシャープキー１３が包含されている。また、操作パネルユニット５のダイアルキー１１の右側には、各種機能を選択するための機能ボタン１６等が設けられている。また、操作パネルユニット５の右側下方には、ファクシミリ送信をスタートするスタートキーＰ、及びファクシミリ送信等を停止させる停止ボタン１５等が配置されている。
機能ボタン１６には、ユーザーが作曲または購入したりしたメロディを記憶させる際に操作する保留音記憶ボタン１６ａと、メロディを再生する際に操作する保留音再生ボタン１６ｂとが配置されている他に、そのメロディを、保留音として電話回線を介して通信相手に対し送出する際に、操作する保留音送出ボタン１６ｃが配置されている。これら保留音記憶ボタン１６ａ、保留音再生ボタン１６ｂ及び保留音送出ボタン１６ｃが、電話装置１の利用者が、保留音を相手方電話装置に送出する際等に使用する保留部材として機能する。
【００１８】
続いて、前記電話装置１の制御系について、図３に基づき説明する。図３は本実施形態に係る電話装置１の制御系を示すブロック図である。図３において、電話装置１の制御系は、ＣＰＵを核として構成された制御部１７を有し、電話機能部分とファクシミリ機能部分とを統合制御するものである。制御部１７には、液晶ディスプレイ（ＬＣＤ）６を有する操作パネルユニット５が接続されると共に、読み出し専用の不揮発性メモリとしてのＲＯＭ１８が接続されている他に、揮発性メモリであるＲＡＭあるいは書き換え可能な不揮発性メモリであるフラッシュメモリ等の一時記億メモリ１９が接続されている。
また、制御部１７には、音声出力用のスピーカ２３が接続されており、制御部１７の音声再生機能部（メロディ再生機能部）１７ａの作用により、一時記億メモリ１９あるいは保留音データメモリ１９Ａに記憶されている主旋律のデータと、主旋律以外の副旋律のデータを、音声として出力する。
更に、制御部１７は、音声再生機能部（メロディ再生機能部）１７ａの作用により音声を再生する際に、主旋律のレベル（音の強さ）と副旋律のレベル（音の強さ）を別個に検出できる音声検出部１７ｂを備えている。制御部１７は、この音声検出部１７ｂによって、特定周波数毎の主旋律のレベル（音の強さ）と副旋律のレベル（音の強さ）との差を把握することができるとともに、必要に応じて、音声再生機能部１７ａによる再生時に、主旋律と副旋律との間で、レベル差を設けて再生することができる。
【００１９】
この場合、音声再生機能部１７ａは、音楽（メロディ）のデータとして、例えばミディ（ＭＩＤＩ：Musical Instrument Digital Interface)のデータを用いて、音楽（メロディ）を再生するが、ミディ（尚、ＭＩＤＩは登録商標である）のデータとしては、主旋律用のミディのデータと、主旋律以外の副旋律用ミディのデータを用いる。
これら主旋律用のミディのデータと、副旋律用ミディのデータには、少なくとも全体の音の強さを表すレベルデータ、楽器データ、単音毎の音の強さを表すボリューム値、音符データ及び音階データ等がそれぞれ含まれている。
そして、音声再生機能部１７ａが例えば音声出力用のスピーカ２３または受話器１０を用いて主旋律用及び副旋律用ミディのデータを再生した際に、全体のレベルデータと単音毎のボリューム値との積が、実際に聞こえる音の大きさに対応することになる。
【００２０】
また、楽器データは、例えばベースギター、アコースティックピアノ、リードギター、ベースギター、ドラム等の楽器を指定するためのデータであって、楽器データには、これら楽器の音色を指定するためのデータが含まれている。そして、主旋律データとは、ベースギター、アコースティックピアノ、リードギター、ベースギター、ドラム等の楽器の音色の内、主旋律として使用する楽器を指定した際に、その楽器を用いて演奏されるデータをいう。この場合、音声再生機能部（メロディ再生機能部）１７ａは、実際に音声を発生する際に主旋律用のミディのデータを使用しながら、所定の音階（周波数）の波形データを生成するので、音声検出部１７ｂは、その主旋律用の波形データの周波数成分を検出するとともに、主旋律のレベル（音の強さ）を検出することができる。
そして、主旋律用の波形データは、楽器データ、主旋律用のレベルデータ、音符データ及び音階データ等によって決定されるが、音声出力用のスピーカ２３または受話器１０の機種毎に、実際に発生する主旋律のレベル（音の強さ）が予め想定したものと異なることがあるので、音声検出部１７ｂは、実際に発生する主旋律の波形データの周波数成分を検出するとともに、主旋律のレベル（音の強さ）を検出する。なお、音声再生機能部（メロディ再生機能部）１７ａは、あくまでも簡易的な再生機能を有するものであって、各種楽器の音源（いわゆるミディ音源）を備えていないことから、楽器データにより指定された楽器音が忠実に再生されるものではなく、チャンネル（主旋律及び副旋律）を識別するためのデータとしてのみ利用される。
【００２１】
また、副旋律データとは、ベースギター、アコースティックピアノ、リードギター、ベースギター、ドラム等の楽器の音色の内、主旋律用に使用する楽器以外の、副旋律として使用する楽器を指定した際に、その楽器を用いて演奏されるデータをいう。副旋律を再生する際に、一般に複数の楽器を使用するため、各楽器用の副旋律データが各楽器毎に記憶されている。
そして、副旋律用の波形データは、楽器データ、副旋律用のレベルデータ、音符データ及び音階データ等によって決定されるが、音声出力用のスピーカ２３または受話器１０の機種毎に、実際に発生する副旋律のレベル（音の強さ）が異なったり、複数の楽器の演奏により副旋律の音が合成される結果、副旋律において予想外の波形データが出現することがある。そのため、音声検出部１７ｂは、実際に発生する副旋律の波形データの周波数を検出するとともに、副旋律のレベル（音の強さ）を検出する。この場合、音声検出部１７ｂは、その内部に備える周波数検出用バンドパスフィルタ（図示せず）を使用して、各周波数毎の主旋律の音圧レベルと副旋律の音圧レベルを検出した後に、主旋律の音圧レベルと副旋律の音圧レベルとの差を検出し、その検出値を必要に応じて一時記億メモリ１９に記憶させることができる。
【００２２】
ここに、ＲＯＭ１８には、電話装置１の電話機能部分である通話制御用プログラム、パネルユニット５から入力される各種機能制御用プログラム、ファクシミリ機能部分である読み取り動作及び記録動作用プログラムが格納されている。更に、ＲＯＭ１８は、回線の切り替え制御等の各種基本動作制御用プログラムの他、特定周波数毎の副旋律のレベルに対する主旋律のレベルを検出して、主旋律のレベルが副旋律のレベルに対し低い場合、あるいは、ほぼ同等である場合や、主旋律のレベルが高くとも、そのレベル差が小さい場合に、副旋律のレベルを、一定レベルだけ下げて所定のレベル差を設ける処理用プログラム等を格納している。
【００２３】
また、一時記憶メモリ１９には、外部回線２５上に送出する保留音を記憶する保留音データメモリ１９Ａを有している。また、制御部１７には、ファクシミリ通信のための変復調を行うモデム３０が接続され、このモデム３０と協働して、通信相手から送出される通信用制御信号を検出したり、あるいはその逆に通信用制御信号を送出する。
また、制御部１７は、ＮＣＵ（ Network Control Unit ）２４が接続され、このＮＣＵ２４は、受話器１０及びＦＡＸ部２１に内部回線２７、２８およびモデム３０等を介して接続されている。そして、制御部１７は、外部回線２５（電話回線）からＮＣＵ２４を介して入力された通信用制御信号等を、モデム３０を介して、あるいは内部回線２６を経て直接入力できる他に、あるいは内部回線２６を経て、モデム３０を介して、通信用制御信号等をＮＣＵ２４を通して外部回線２５に出力するように制御できる。この場合、電話装置１の外部回線２５を介した接続先として、例えば、音楽（メロディ）の配信サービス等を行っているサービス会社と接続したり、あるいはインターネット（コンピュータ・ネットワークが互いに接続し合った世界規模のネットワーク）等に接続するサービス会社（プロバイダー）と契約している場合には、そのアクセスポイントと接続することにより、インターネットを通じて、音楽（メロディ）のデータを受信することができる。
【００２４】
また、制御部１７は、外部回線２５からＮＣＵ２４を介して入力された音声信号等を、受話器１０に出力したり、あるいはＮＣＵ２４を介して外部回線２５に受話器１０から入力された音声信号等を出力するように、ＮＣＵ２４を制御できる。また、制御部１７は、外部回線２５からＮＣＵ２４を介して入力された画像データ等をモデム３０により復調してＦＡＸ部２１に出力したり、あるいはＮＣＵ２４を介して、ＦＡＸ部２１から入力されモデム３０により変調された画像データ等を外部回線２５に出力するように、ＮＣＵ２４を制御できる。
ここで、受話器１０は相手との通話をするためのものである。また、ＦＡＸ部２１は、ＦＡＸデータの送受信を行うものである。このＦＡＸ部２１には、用紙スタッカ７から装置本体２内に送給された原稿の文字、図形等を読み取り、画像データ等をＦＡＸ部２１に出力するための読取スキャナ（図示せず）を含む読取ユニット２０が接続されている。更に、ＦＡＸ部２１には、外部回線２５及び内部回線２８およびモデム３０等を介して受信された画像データを記録紙上に印字する印字ヘッド（図示せず）を含む記録ユニット２２が接続されている。
【００２５】
それにより、外部回線２５からの着信を制御部１７が確認すると着信音が鳴動し、受話器１０をオフフックすると、ＮＣＵ２４を制御して、発呼側と音声通話を確立することができる。通話を保留状態にするときには、操作ユニットパネル５の保留音送出ボタン１６ｃを押下すれば、音声再生機能部１７ａを有する制御部１７が保留音データメモリ１９Ａに記憶された保留状態を表すメロディ等のデータを音声として再生し、内部回線２６を介して外部回線２５に送出して保留状態になると共に、スピーカ２３及び受話器１０においてもメロディ等を確認することができる。
更に、例えばＣＮＧ信号等の通信用制御信号を検出した場合、電話装置１においては、モデム３０と協働して通信用制御信号を検出する制御部１７が、ＮＣＵ２４およびモデム３０を制御して、ＦＡＸ部２１によりＦＡＸ受信を確立する。その後、発呼側からのファクシミリデータが着信した場合には、ＦＡＸ部２１において受信した画像データを一旦メモリ（一時記憶メモリ１９Ａ）に記憶したのち、あるいは、受信と同時に記録ユニット２２にて記録する。また、例えばＣＮＧ信号等の通信用制御信号を自動的に送出する機能を持つ電話装置１においては、制御部１７がＮＣＵ２４およびモデム３０を制御して、通信用制御信号の送出により、ＦＡＸ部２１においてＦＡＸ送信を確立する。その後、制御部１７は読取ユニット２０から入力された画像データ等をモデム３０およびＮＣＵ２４を介して外部回線２５に出力する。
【００２６】
次に、保留音として音楽（メロディ）のデータを、保留音データメモリ１９Ａに記憶させる際の動作につき、図４に基づき説明する。図４は、本実施形態の保留音としての音楽（メロディ）のデータをメモリ１９Ａに記憶させる処理を表すフローチャートである。この場合、例えば音楽（メロディ）データの配信を行っている会社、あるいは、インターネットへ接続するサービス会社（プロバイダー）と契約しているのであれば、インターネットを通じて、音楽（メロディ）のデータを外部回線２５を介して受信し、この音楽（メロディ）のデータが、制御部１７の制御の下に、一時記億メモリ１９に記憶されている。
【００２７】
ステップ（以下、Ｓと略記する。）１において、制御部１７は保留音記憶状態であるか否かを判断する。この判断は、保留音記憶ボタン１６ａが押下されたか否かを制御部１７が検出することにより行う。保留音記憶ボタン１６ａが押下されずに保留音記憶状態でなければ（Ｓ１：ＮＯ）、制御部１７は待機状態に戻る。
反対に、保留音記憶ボタン１６ａが押下されて保留音記憶状態であれば（Ｓ１：ＹＥＳ）、制御部１７は保留音を保留音データメモリ１９Ａに記憶させる記憶動作を行う（Ｓ２）。具体的には、保留音再生ボタン１６ｂの押下により、一時記億メモリ１９に記憶されている音楽（メロディ）のデータを再生する状態であるので、音楽（メロディ）を聞く利用者が、保留音記憶ボタン１６ａを押下して、その一時記億メモリ１９に記憶されている音楽（メロディ）のデータの一部を、保留音として保留音データメモリ１９Ａに記憶させる。
そして、制御部１７は保留音記憶ボタン１６ａがオフか否かを判断する。この判断は、保留音記憶ボタン１６ａが再度押下されたか否かを制御部１７が検出することにより行うことができる。ここで、音楽（メロディ）を聞く利用者が、保留音記憶ボタン１６ａを再度押下して、保留音記憶状態でなければ（Ｓ１：ＮＯ）、制御部１７は待機状態に戻る。保留音記憶ボタン１６ａが再度押下されない場合、制御部１７がＳ２に戻り、記憶動作を継続する。
【００２８】
次に、保留音としての音楽（メロディ）のデータを、保留音データメモリ１９Ａから再生して、副旋律のレベルを一定レベルだけ下げる動作について、図５に基づき説明する。図５は、本実施形態の副旋律のレベルを一定レベルだけ下げる処理をする際のフローチャートである。
Ｓ１１において、制御部１７は保留音再生状態であるか否かを判断する。この判断は、保留音記憶ボタン１６ａ及び保留音再生ボタン１６ｂが押下されたか否かを制御部１７が検出することにより行う。ここで、保留音記憶ボタン１６ａ及び保留音再生ボタン１６ｂの両方が押下されずに、保留音再生状態でなければ（Ｓ１１：ＮＯ）、制御部１７は待機状態に戻る。
反対に、利用者が、保留音記憶ボタン１６ａ及び保留音再生ボタン１６ｂの両方を押下して、保留音再生状態であれば（Ｓ１１：ＹＥＳ）、制御部１７は、保留音のデータを、保留音データメモリ１９Ａから読み出して音声再生機能部１７ａの作用により音声として再生する動作を行う（Ｓ１２）。それから制御部１７の主旋律のレベル（音の強さ）が低いために副旋律のレベル（音の強さ）とほぼ同等か、あるいはそのレベル差を検出する（Ｓ１３）。そして、制御部１７は、主旋律のレベル（音の強さ）が低いために、副旋律のレベル（音の強さ）とほぼ同等か、あるいは、そのレベル差が小さい場合（Ｓ１３：ＹＥＳ）、主旋律と副旋律との間で、所定のレベル差を設ける（Ｓ１４）。そのため、制御部１７は、制御手段として機能し、音声検出部１７ｂによって、主旋律のレベル（音の強さ）と副旋律のレベル（音の強さ）との差を把握するとともに、必要に応じて、音声再生機能部１７ａによる再生時に、主旋律と副旋律との間で、主旋律の方が高くなるようにレベル差を設けて再生する機能を果たす。
【００２９】
具体的には、音声検出部１７ｂにより、例えば２０Ｈｚから２０００Ｈｚまで可聴音の周波数について、その間の例えば１００Ｈｚ毎に、主旋律のレベル（音の強さ）と、副旋律のレベル（音の強さ）差を検出して、例えば３デシベル（ｄＢ）以下の部分があれば、副旋律のレベル（音の強さ）を一定レベルだけ下げるようにレベルデータを変更する。この場合、制御部１７は、保留音データメモリ１９Ａに記憶されている副旋律のレベル（音の強さ）のデータを、例えば３デシベル（ｄＢ）程度だけ下げるように、副旋律のレベルデータを変更する。
このように副旋律のレベル（音の強さ）を一定レベル、例えば３デシベル（ｄＢ）程度だけ下げることにより、電話装置１の利用者が保留音送出ボタン１６ｃを操作して、保留音データメモリ１９Ａに記憶された保留音等としての音楽情報を、外部回線２５を介して通信相手に対し送出する場合にあっても、副旋律によって主旋律が邪魔されるおそれが少なくなる。そのため、主旋律が明確になって楽曲のイメージが分かりやすくなり、通信相手方は、その音楽（主旋律）を聞きやすくなって、何の楽曲か全体として分からないという問題はない。もっとも、主旋律のレベル（音の強さ）と、副旋律のレベル（音の強さ）差を検出して、例えば３デシベル（ｄＢ）以下の部分があれば、主旋律のレベル（音の強さ）を一定レベルだけ上げるようにレベルデータを変更してもよいし、あるいは、主旋律のレベル及び副旋律のレベルの双方を変更するようにしてもよい。
【００３０】
そして、制御部１７は、副旋律のレベルを一定レベルだけ下げる旨の表示を、必要に応じて液晶ディスプレイ６に表示して、制御部１７は待機状態に戻る。
一方、音声検出部１７ｂにより、２０Ｈｚから２０００Ｈｚまでの間の１００Ｈｚ毎に、主旋律のレベル（音の強さ）と、副旋律のレベル（音の強さ）差を検出した際に、例えば３デシベル（ｄＢ）以下の部分がなければ（Ｓ１３：ＮＯ）、保留音としてのメロディに対して、副旋律のレベルを下げない（レベルの変更はしない）旨を液晶ディスプレイ６に表示して、制御部１７は待機状態に戻る。
このように液晶ディスプレイ６の表示により、副旋律のレベルを一定レベルだけ下げる旨の警告を受けた者は、通信相手に対し送出する保留音が、副旋律によって主旋律が邪魔され、何の楽曲か全体として分からないおそれがあることを知る。そのため、副旋律のレベルを一定レベルだけ下げたとしても、楽曲のイメージがまだ分かりにくいことがあるので、一時記億メモリ１９に記憶された別の楽曲を用いて、図４に示す記憶動作をやり直し、図５の態様を実施する結果、楽曲のイメージを分かりやすくできる。
【００３１】
以上詳細に説明したように、本実施形態の電話装置１は、主旋律と、副旋律とから構成された音楽情報を再生することができるが、音声再生機能部１７ａの作用により、保留音データメモリ１９Ａに記憶されている主旋律のデータと、主旋律以外の副旋律のデータを、音声としてスピーカ２３等を用いて出力する際に、音声検出部１７ｂにより、主旋律と副旋律との間でレベル差を検出して、主旋律の方が高くなるように、レベル差を設けることができるので、保留音としての音楽情報を、電話回線を介して通信相手に対し送出する場合にあっても、主旋律のレベルと副旋律のレベルとの間で、レベル差を設けた保留音に変更する結果、副旋律によって主旋律が邪魔されるおそれが少なくなり、楽曲のイメージが分かりやすくなる。
【００３２】
尚、本発明は本実施形態に限定されるものではなく、本発明の主旨を逸脱しない範囲内で種々の改良、変形が可能であることはもちろんである。例えば、音声再生機能部１７ａが保留音の主旋律及び副旋律を出力して再生した状態で、音声検出部１７ｂが主旋律のレベルと副旋律のレベルとを検出する態様以外に、保留音としての主旋律のデータ及び副旋律のデータを記憶する保留音データメモリ１９Ａ（メモリ）内において、主旋律のレベル（主旋律のレベルデータと単音毎のボリューム値との積）と副旋律のレベル（副旋律のレベルデータと単音毎のボリューム値との積）との差を把握する態様を採用してもよい。
また、主旋律のレベル（音の強さ）と副旋律のレベル（音の強さ）との間にレベル差を設ける際に、周波数の変化に対して、レベル差の変化率をなるべく一様にする態様を採用しても良いし、反対に、主旋律のレベルと副旋律のレベルとの間にレベル差を設ける際に、高音部分ではレベル差をわずかに大きくするのに対して、低音部分ではレベル差を大きくする態様を採用しても良い。また、特定周波数の部分の旋律のレベルを一定レベルだけ下げるようにしてもよく、その特定周波数の部分の旋律としては、聞き取り易い例えば高音部分とすると良い。
尚、主旋律のレベル（音の強さ）に対して副旋律のレベル（音の強さ）を予め一定レベルだけ下げる態様を採用した場合、副旋律のレベル（音の強さ）の大きさがある基準値以下に下がると、副旋律が分かりにくくなるので、ある基準値以下に下がった場合、主旋律及び副旋律のレベル（音の強さ）を双方とも大きくする態様を採用して、音声再生機能部１７ａがその保留音の主旋律及び副旋律を出力して再生しても良い。
【００３３】
また、ユーザーが作曲したメロディを、電話装置内のメモリに記憶させて使用する場合、メモリに保留音として記憶した直後に、主旋律のレベルと副旋律のレベルとの間で、副旋律のレベルを、数デシベル（ｄＢ）だけ小さくしたり、主旋律のレベルを、数デシベル（ｄＢ）だけ大きくする態様を採用してもよい。
また、電話装置のユーザーが、音楽データの配信サービス会社やインターネットを通じて、メロディデータを１曲毎にダウンロードした際に、直ちに主旋律のレベルと副旋律のレベルとの間で、レベル差を設けるか否かを判断してもよいし、複数曲のメロディをメモリに全てダウンロードした後に、主旋律のレベルと副旋律のレベルとの間で、レベル差を設ける態様を採用してもよい。また、音楽情報としては、声楽曲・器楽曲・室内楽曲・管弦楽曲であっても良い。
また、上述した実施の形態においては、保留音の主旋律のレベルと副旋律のレベルとの間にレベル差を設ける態様を示したが、必ずしもこの態様に限定される訳ではなく、例えば着信音その他の音の主旋律のレベルと副旋律のレベルとの間でレベル差を設けて再生する態様を採用してもよい。
また、主旋律のレベルと副旋律のレベルにレベル差を設けて再生する態様として、保留音データメモリ１９Ａに記憶されたレベルデータ等を書き換える方法の他に、例えば、メモリ内のデータはそのままとして、音声再生機能部１７ａに備えられた各旋律用の出力アンプの増幅率を個々に制御するデータを追加し、その追加したデータに基づいて、各出力アンプの増幅率を設定することで、レベル差を設けるようにしてもよい。
また、上記実施の形態では、音楽（メロディ）再生するために、制御部１７に音声再生機能部１７ａを備えているが、必ずしもこれに限定される訳ではなく、例えば、モデム３０に搭載されているＤＳＰ（Digtal  Signal  Processor）機能を利用して、簡易的に音楽（メロディ）を再生する用にしても良い。
【００３４】
【発明の効果】
以上説明したとおり、請求項１に係る発明によれば、検出手段により、主旋律とこの主旋律以外の旋律とのレベル差を検出し、検出されたレベル差が所定レベルより小さい場合に、所定レベル以上となるようにレベル差を設定する。そして、設定されたレベル差に基づいて、主旋律とこの主旋律以外の旋律を再生するので、主旋律以外の旋律によって主旋律が邪魔されるおそれが少なくなり、主旋律が明確になって楽曲のイメージが分かりやすくなる。
それにより、例えば保留音等としての音楽情報を、通信回線を介して通信相手に対し送出したり、あるいは着信音として再生したりする場合にあっても、楽曲のイメージが分かりやすくなって、その音楽（メロディ）が聞きやすくなり、保留音あるいは着信音等としての音楽（メロディ）を流す意義が喪失しない。
【００３５】
また、請求項２に係る発明によれば、設定手段は、前記主旋律以外の旋律のレベルを一定レベルだけ下げるので、主旋律以外の旋律によって主旋律が邪魔されるおそれが少なくなり、主旋律が明確になって楽曲のイメージが分かりやすくなる。それにより、例えば、保留音等としての音楽情報を、通信回線を介して通信相手に対し送出したり、あるいは着信音として再生したりする場合にあっても、楽曲のイメージが分かりやすくなって、その音楽を聞きやすくなり、保留音あるいは着信音等としての音楽（メロディ）を流す意義が喪失しない。
【００３６】
また、請求項３に係る発明によれば、設定手段は、特定周波数の部分の前記主旋律以外の旋律のレベルを一定レベルだけ下げるので、主旋律以外の旋律によって特定周波数の部分の主旋律が邪魔されるおそれが少なくなり、主旋律が明確になって楽曲のイメージが分かりやすくなる。それにより、例えば保留音、着信音等としての音楽情報を、通信回線を介して通信相手に対し送出したり、あるいは着信音として再生したりする場合にあっても、楽曲のイメージが分かりやすくなって、その音楽（メロディ）が聞きやすくなり、保留音あるいは着信音等としての音楽（メロディ）を流す意義が喪失しない。
【００３７】
また、請求項４に係る発明によれば、前記音楽情報は、保留部材の操作によって、電話回線を介して通信相手に対し保留音として送出されるので、保留音の楽曲のイメージが分かりやすくなって、通信相手方はその音楽（メロディ）が聞きやすくなり、通信相手に対して保留音としての音楽（メロディ）を流す意義が喪失しない。
【００３８】
また、請求項５に係る発明によれば、音楽情報は、着信音として再生されるので、着信音の楽曲のイメージが分かりやすくなって、その音楽（メロディ）が聞きやすくなり、着信音としての音楽（メロディ）を流す意義が喪失しない。
また、請求項６に係る発明によれば、低音部分のレベル差に対して、聞き取りやすい高音部分のレベル差を小さく設定することにより、高音部分が主張しすぎることなく、高音部分と低音部分を適度なバランスに調整して、音楽情報を再生することができる。
また、請求項７に係る発明によれば、副旋律のレベルの大きさがある基準値以下に下がり、副旋律が分かりにくくなった場合にも、主旋律及び副旋律のレベルを双方とも大きくすることにより、その音楽（メロディ）のイメージが分かりやすく、且つ聞きやすくなる。
【図面の簡単な説明】
【図１】本実施形態に係る電話装置の外観斜視図である。
【図２】本実施形態に係る電話装置の操作パネルユニットの平面図である。
【図３】本実施形態に係る電話装置の制御系を示すブロック図である。
【図４】本実施形態に係る電話装置が保留音としてのメロディを記憶させる処理を表すフローチャートである。
【図５】本実施形態に係る電話装置が副旋律のレベルを一定レベルだけ下げる処理を表すフローチャートである。
【符号の説明】
１      電話装置
２      装置本体
５      操作パネルユニット
６      液晶ディスプレイ
１０    受話器
１１    ダイアルキー
１６    機能ボタン
１６ａ  保留音記憶ボタン
１６ｂ  保留音再生ボタン
１６ｃ  保留音送出ボタン
１７    制御部
１７ａ  音声再生機能部
１７ｂ  音声検出部
１９    一時記億メモリ
１９Ａ  保留音データメモリ
２１    ＦＡＸ部
２４    ＮＣＵ
２５    外部回線(電話回線)
３０    モデム
【図１】
0003632555.tif 000002
【図２】
0003632555.tif 000003
【図３】
0003632555.tif 000004
【図４】
0003632555.tif 000005
【図５】
0003632555.tif 000006